(57)【要約】【課題】  デジタルカメラで撮影した写真画像と関連付けて保存されている音声ファイルあるいは説明が存在する場合の画像データの再生操作を簡易化する。【解決手段】  カメラ部５の撮像部で撮影されて画像データ記憶部１３に保存される画像データと関連してマイク部６で録音して得られた音声データを、画像データに付与されるタイトルと同じタイトルを付与して音声データ記憶部１９に保存する。画像データの再生指示を受けたとき、当該再生指示を受けた画像データのタイトルと同一のタイトルが付与された音声データが存在するか否かを、音声データ記憶部１９を自動検索することにより確認し、同一のタイトルが付与された音声データが検出されたとき、前記画像データを表示部４に表示すると同時に、検出された音声データを音声データ記憶部１９から読み出してＤＡコンバータ１５を介してスピーカ７により再生する。【選択図】      図２
2005354506.tif 000002
【特許請求の範囲】
【請求項１】
撮影レンズを介して撮像された被写体を画像データとして出力する撮像部と、前記画像データを表示する表示部と、前記画像データを保存する画像データ記憶部と、音声を集音するマイク部と、該マイク部で集音された音声信号をデジタルの音声データに変換するＡＤコンバータと、該音声データを保存する音声データ記憶部と、デジタルの音声データをアナログ音声信号に変換するＤＡコンバータと、該ＤＡコンバータから出力されるアナログ信号により鳴動されるスピーカと、処理プログラムを格納する記憶部と、ＣＰＵとを備えたデジタルカメラにおいて、
前記ＣＰＵは、前記処理プログラムにより、前記撮像部で撮影された画像データにファイル識別のためのタイトルを付与して画像データ記憶部に保存する処理と、前記保存された画像データと関連して入力された音声を前記マイク部で集音し、前記ＤＡコンバータによりデジタル音声データに変換し、前記画像データと同じタイトルを付与して前記音声データ記憶部に保存する処理と、前記画像データ記憶部に保存されている画像データの再生指示に応答して、当該再生指示を受けた画像データのタイトルと同一のタイトルが付与された音声データを前記音声データ記憶部から検索する処理と、前記画像データのタイトルと同一のタイトルが付与された音声データが検出されたとき、前記画像データを前記表示部に表示すると同時に、前記検出された音声データを前記音声データ記憶部から読み出して前記ＤＡコンバータを介して前記スピーカにより再生する処理を実行する機能を有していることを特徴とするデジタルカメラ。
【請求項２】
前記マイク部から入力された音声を認識する音声認識手段を備え、前記ＣＰＵは、前記処理プログラムにより、前記音声認識手段で認識されて前記表示部に表示された認識結果を元に、使用者の指示に従って撮影した画像ファイルのタイトルを編集する処理と、撮影時に付与された前記ファイル識別のためのタイトルを、前記編集されたタイトルに更新して保存する処理を実行する機能を有していることを特徴とする請求項１に記載のデジタルカメラ。
【請求項３】
撮影レンズを介して撮像された被写体を画像データとして出力する撮像部と、前記画像データを表示する表示部と、前記画像データを保存する画像データ記憶部と、音声を集音するマイク部と、該マイク部で集音された音声信号をデジタルの音声データに変換するＡＤコンバータと、該音声データを保存する音声データ記憶部と、音声データの認識処理を行う音声認識部と、デジタルの音声データをアナログ音声信号に変換するＤＡコンバータと、該ＤＡコンバータから出力されるアナログ信号により鳴動されるスピーカと、制御プログラムを格納する記憶部と、ＣＰＵとを備えたデジタルカメラにおいて、
前記ＣＰＵは、前記処理プログラムにより、前記撮像部で撮影された画像データにファイル識別のためのタイトルを付与して画像データ記憶部に保存する処理と、前記撮像部で撮影された画像データと関連して入力された音声を前記マイク部で集音し、前記ＤＡコンバータでデジタル信号に変換された音声データを前記音声認識部により認識する処理と、前記音声認識部で認識された音声情報に基づいて作成されたコメントを、前記画像データと関連付けて保存する処理と、前記画像データ記憶部に保存されている画像データの再生指示に応答して、当該再生指示を受けた画像データと関連付けて保存されている前記コメントを読み出し、前記画像データが表示されている表示部の所定位置に前記コメントを同時に表示する処理を実行する機能を有していることを特徴とするデジタルカメラ。
【請求項４】
前記ＣＰＵは、前記処理プログラムにより、前記音声認識部で認識されて前記表示部に表示された認識結果を元に、使用者の指示に従って撮影した画像ファイルのタイトルを編集する処理と、撮影時に付与された前記ファイル識別のためのタイトルを、前記編集されたタイトルに更新して保存する処理を実行する機能を有していることを特徴とする請求項３に記載のデジタルカメラ。
【請求項５】
前記ＣＰＵは、前記処理プログラムにより、前記画像データ記憶部に保存されている画像データの中から選択された複数の画像データに対して同一のグループ名が設定されたとき、当該グループ名と、選択された画像ファイル名と、その選択順を保存する処理と、前記グループ名を指定して再生指示がなされたとき、前記選択された画像ファイルを前記選択順に従って順次自動再生する処理を実行する機能を有していることを特徴とする請求項１〜４のいずれかに記載のデジタルカメラ。
【請求項６】
請求項１〜５のいずれかに記載のデジタルカメラが搭載されたカメラ付携帯電話機において、
前記ＣＰＵは、前記処理プログラムにより、該デジタルカメラで撮影された画像データを添付したメールの送信指示を受けて、該画像データと関連して保存されている前記音声データまたは前記コメントを画像データとともに前記メールに自動的に添付して送信する処理を実行する機能を有していることを特徴とするカメラ付携帯電話機。
【請求項７】
デジタルカメラまたはデジタルカメラ付携帯電話機に内蔵されたＣＰＵに、該デジタルカメラで撮影された画像データにタイトルを付与して画像データ記憶部に保存する処理と、該保存された画像データと関連する音声情報の保存指示に従って入力された音声データを、前記画像データと同じタイトルを付与して音声データ記憶部に保存する処理と、前記画像データ記憶部に保存されている画像データの再生指示に応答して、再生指示を受けた画像データのタイトルと同一のタイトルが付与された音声データを前記音声データ記憶部から検索する処理と、前記画像データのタイトルと同一のタイトルが付与された音声データが検出されたとき、前記画像データを表示部に表示すると同時に、前記検出された音声データを前記音声データ記憶部から読み出してスピーカにより再生する処理を実行させるためのプログラム。
【請求項８】
デジタルカメラまたはデジタルカメラ付携帯電話機に内蔵されたＣＰＵに、該デジタルカメラで撮影された画像データにタイトルを付与して画像データ記憶部に保存する処理と、前記撮像部で撮影された画像データと関連して入力された音声を前記マイク部で集音し、前記ＤＡコンバータでデジタル信号に変換された音声データを認識する音声認識処理と、該音声認識処理で認識された音声情報に基づいて作成されたコメントを、前記画像データと関連付けて保存する処理と、前記画像データ記憶部に保存されている画像データの再生指示に応答して、当該再生指示を受けた画像データと関連付けて保存されている前記コメントを読み出し、前記画像データが表示されている表示部の所定位置に前記コメントを同時に表示する処理を実行させるためのプログラム。
【請求項９】
デジタルカメラまたはデジタルカメラ付携帯電話機に内蔵されたＣＰＵに、該デジタルカメラで撮影された画像データにタイトルを付与して画像データ記憶部に保存する処理と、該保存された画像データと関連する音声情報の保存指示に従って入力された音声データを、前記画像データと同じタイトルを付与して音声データ記憶部に保存する処理と、前記画像データ記憶部に保存されている画像データの中から選択された複数の画像データに対して同一のグループ名が設定されたとき、当該グループ名と、選択された画像データのタイトルと、その選択順を保存する処理と、前記画像データ記憶部に保存されている画像データの前記グループ名を指定した再生指示に応答して、前記選択された画像データを前記選択順に従って読み出すとともに当該画像データのタイトルと同一のタイトルが付与された音声データを前記音声データ記憶部から検索する処理と、前記画像データのタイトルと同一のタイトルが付与された音声データが検出されたとき、前記画像データを表示部に表示すると同時に、前記検出された音声データを前記音声データ記憶部から読み出してスピーカにより再生する処理を前記グループ内の全ての画像データに対して実行させるためのプログラム。
【請求項１０】
デジタルカメラまたはデジタルカメラ付携帯電話機に内蔵されたＣＰＵに、該デジタルカメラで撮影された画像データにタイトルを付与して画像データ記憶部に保存する処理と、前記撮像部で撮影された画像データと関連して入力された音声を前記マイク部で集音し、前記ＤＡコンバータでデジタル信号に変換された音声データを認識する音声認識処理と、該音声認識処理で認識された音声情報に基づいて作成されたコメントを、前記画像データと関連付けて保存する処理と、前記画像データ記憶部に保存されている画像データの中から選択された複数の画像データに対して同一のグループ名が設定されたとき、当該グループ名と、選択された画像データのタイトルと、その選択順を保存する処理と、前記画像データ記憶部に保存されている画像データの前記グループ名を指定した再生指示に応答して、前記選択された画像データを前記選択順に従って読み出すとともに当該画像データと関連付けて保存されている前記コメントを読み出し、前記画像データが表示されている表示部の所定位置に前記コメントを同時に表示する処理を前記グループ内の全ての画像データに対して実行させるためのプログラム。
【請求項１１】
デジタルカメラ付携帯電話機に内蔵されたＣＰＵに、該デジタルカメラで撮影された画像データにタイトルを付与して画像データ記憶部に保存する処理と、該保存された画像データと関連する音声情報の保存指示に従って入力された音声データを、前記画像データと同じタイトルを付与して音声データ記憶部に保存する処理と、前記画像データ記憶部に保存されている画像データのメールへの添付指示に応答して、添付指示を受けた画像データのタイトルと同一のタイトルが付与された音声データを前記音声データ記憶部から検索する処理と、前記画像データのタイトルと同一のタイトルが付与された音声データが検出されたとき、前記検出された音声データを画像データとともに前記メールに自動的に添付して送信する処理を実行させるためのプログラム。
【請求項１２】
デジタルカメラ付携帯電話機に内蔵されたＣＰＵに、該デジタルカメラで撮影された画像データにタイトルを付与して画像データ記憶部に保存する処理と、前記撮像部で撮影された画像データと関連して入力された音声を前記マイク部で集音し、前記ＤＡコンバータでデジタル信号に変換された音声データを認識する処理と、該認識された音声情報に基づいて作成されたコメントを、前記画像データと関連付けて保存する処理と、前記画像データ記憶部に保存されている画像データの再生指示に応答して、当該再生指示を受けた画像データと関連付けて保存されている前記コメントを読み出し、前記画像データが表示されている表示部の所定位置に前記コメントを同時に表示する処理を実行させるためのプログラム。
【発明の詳細な説明】
【技術分野】
【０００１】
本発明は、デジタルカメラあるいはデジタルカメラ付携帯電話機に関し、特に、撮影された画像データに付加された情報の保存、再生あるいはメール送信技術に関する。
【背景技術】
【０００２】
デジタルカメラ等の画像撮像装置では、ＣＣＤ等のイメージセンサで撮影した画像データを、画像記憶部に記録・保存しておき、再生指示に従って、記録・保存された画像データが画像記憶部から読み出され、デジタルカメラ等に設けられた液晶ディスプレイ（ＬＣＤ）等の表示部に再生画像として表示されるが、その際、撮影された画像データと関連付けして音声入力された音声データあるいは音声データから認識されたキーワードを、画像データとともに記録する技術が提案されている（特許文献１、２）。
【０００３】
特許文献１記載の記録データ処理方法では、撮影された画像データを記録した画像ファイルには画像用の拡張子を付与し、関連して入力された音声データを記録した音声ファイルには音声用の拡張子をそれぞれ付与するとともに、互いに関連付けされた音声ファイルと画像ファイルのファイル名を同一にして同一記録ディレクトリ内に記録することにより、音声ファイルと関連付けされた画像ファイルの画像が表示部に表示されている状態で、音声再生が指示されたときに、表示中の画像に対応する音声メモファイルが再生される。
【０００４】
特許文献２記載の、画像データに付与するキーワード入力方法では、シャッタボタンを駆動して撮像手段により画像データを取得する際、このシャッタボタンの駆動による撮像動作と連動してマイクによる音声入力を受け付け、音声認識手段により入力された音声を認識して該音声を表すテキストデータを生成し、撮像された画像データに該生成されたテキストデータをキーワードとして付与し、記憶手段に記憶することにより、画像データに付与するキーワード入力の簡易化を図っている。
【０００５】
【特許文献１】特開２００２−２２３４０１号公報
【特許文献２】特開２００３−６９９２５号公報
【特許文献３】特開２００３−３４８５２４号公報
【発明の開示】
【発明が解決しようとする課題】
【０００６】
特許文献１記載の撮影画像データ処理方法によれば、撮影した写真画像に音声ファイルを添付し保存することができるため、写真撮影時に入力した音声データによる臨場感や写真の説明等を保存することが可能であるが、保存された画像データとそれに添付された音声ファイルを再生する場合、所望の画像ファイルが選択され、表示部に再生画像として表示されたとき、この再生画像に対する音声ファイルがあるかどうかは、音声再生の指示をしてみなければ分からないので、再生画像が表示される度に、添付された音声ファイルがあるか否かを確認するための音声再生指示を行う必要があり、音声ファイルがなければ無駄な再生指示操作となる。
【０００７】
特に、保存されている複数の画像データを順次再生して表示させる場合、それらの画像データを記録ファイルから順次読み出すための指示と表示された画像に関連付けされた音声の再生指示とを繰り替えし行わなければならず、再生操作が面倒である。
【０００８】
近年、デジタルカメラ付の携帯電話機が普及しており、携帯電話のメール機能を利用して撮影した画像ファイルをメールに添付する形式で携帯電話から相手先に送信することが可能となっている（特許文献３）が、音声メモファイルが付いた画像データをメールに添付するときに、音声メモファイルも同時に送信する場合には同様の問題が生ずる。
【０００９】
また、特許文献２記載の画像データに付与するキーワード入力方法は、画像サーバに保管され、あるいはＣＤ−Ｒに記録された画像データを検索するためのキーワードを音声により入力するものであって、写真撮影時に入力した音声データによる写真の説明等を保存しておき、再生時に、表示された再生画像に写真撮影時に付与した説明を同時に表示することは考えられていない。
【００１０】
本発明の目的は、デジタルカメラで撮影した写真画像と関連付けて保存されている音声ファイルあるいは説明が存在する場合の画像データの再生操作を簡易化する手段を提供することにある。
【課題を解決するための手段】
【００１１】
本発明は、撮影レンズを介して撮像された被写体を画像データとして出力する撮像部と、前記画像データを表示する表示部と、前記画像データを保存する画像データ記憶部と、音声を集音するマイク部と、該マイク部で集音された音声信号をデジタルの音声データに変換するＡＤコンバータと、該音声データを保存する音声データ記憶部と、デジタルの音声データをアナログ音声信号に変換するＤＡコンバータと、該ＤＡコンバータから出力されるアナログ信号により鳴動されるスピーカと、処理プログラムを格納する記憶部と、ＣＰＵとを備えたデジタルカメラにおいて、前記ＣＰＵは、前記処理プログラムにより、前記撮像部で撮影された画像データにファイル識別のためのタイトルを付与して画像データ記憶部に保存する処理と、前記保存された画像データと関連して入力された音声を前記マイク部で集音し、前記ＤＡコンバータによりデジタル音声データに変換し、前記画像データと同じタイトルを付与して前記音声データ記憶部に保存する処理と、前記画像データ記憶部に保存されている画像データの再生指示に応答して、当該再生指示を受けた画像データのタイトルと同一のタイトルが付与された音声データを前記音声データ記憶部から検索する処理と、前記画像データのタイトルと同一のタイトルが付与された音声データが検出されたとき、前記画像データを前記表示部に表示すると同時に、前記検出された音声データを前記音声データ記憶部から読み出して前記ＤＡコンバータを介して前記スピーカにより再生する処理を実行する機能を有していることを特徴とする。
【００１２】
また本発明は、撮影レンズを介して撮像された被写体を画像データとして出力する撮像部と、前記画像データを表示する表示部と、前記画像データを保存する画像データ記憶部と、音声を集音するマイク部と、該マイク部で集音された音声信号をデジタルの音声データに変換するＡＤコンバータと、該音声データを保存する音声データ記憶部と、音声データの認識処理を行う音声認識部と、デジタルの音声データをアナログ音声信号に変換するＤＡコンバータと、該ＤＡコンバータから出力されるアナログ信号により鳴動されるスピーカと、制御プログラムを格納する記憶部と、ＣＰＵとを備えたデジタルカメラにおいて、前記ＣＰＵは、前記処理プログラムにより、前記撮像部で撮影された画像データにファイル識別のためのタイトルを付与して画像データ記憶部に保存する処理と、前記撮像部で撮影された画像データと関連して入力された音声を前記マイク部で集音し、前記ＤＡコンバータでデジタル信号に変換された音声データを前記音声認識部により認識する処理と、前記音声認識部で認識された音声情報に基づいて作成されたコメントを、前記画像データと関連付けて保存する処理と、前記画像データ記憶部に保存されている画像データの再生指示に応答して、当該再生指示を受けた画像データと関連付けて保存されている前記コメントを読み出し、前記画像データが表示されている表示部の所定位置に前記コメントを同時に表示する処理を実行する機能を有していることを特徴とする。
【００１３】
また、前記ＣＰＵは、前記処理プログラムにより、前記画像データ記憶部に保存されている画像データの中から選択された複数の画像データに対して同一のグループ名が設定されたとき、当該グループ名と、選択された画像ファイル名と、その選択順を保存する処理と、前記グループ名を指定して再生指示がなされたとき、前記選択された画像ファイルを前記選択順に従って順次自動再生する処理を実行する機能を有している。
【００１４】
また、本発明のカメラ付携帯電話機は、上記構成のデジタルカメラが搭載されており、前記ＣＰＵは、前記処理プログラムにより、該デジタルカメラで撮影された画像データを添付したメールの送信指示を受けて、該画像データと関連して保存されている前記音声データまたは前記コメントを画像データとともに前記メールに自動的に添付して送信する処理を実行する機能を有していることを特徴とする。
【００１５】
本発明のデジタルカメラまたはデジタルカメラ付携帯電話機に内蔵されたＣＰＵで実行されるプログラムは、本発明のデジタルカメラまたはデジタルカメラ付携帯電話機に内蔵された記憶部に格納されており、ＣＰＵは、選択されたモードを処理するプログラムに従って、上記所定の各機能を実行する。
【発明の効果】
【００１６】
本発明によれば、操作部の操作によりカメラ部にて撮影された静止画像を画像記憶部にＪＰＥＧやＭＰＥＧに代表される手法で圧縮し保存した後に、マイクにて音声録音を行いＡ／Ｄコンバータにてデジタル信号化された音声信号を画像データのタイトルと同一のタイトルで音声データ記憶部に保存するので、撮影画像を表示部に表示し確認する場合に、静止画と同一タイトルの音声データが音声データ記憶部より自動的に読み出されてスピーカより再生することが可能であり、また、この画像をメールにて相手側に送信する場合に、音声データがある場合には自動的に音声データも読み出されてメールに添付され、関連する音声データがあるかを一々確認する必要がないので、再生操作あるいはメール添付操作が容易となる。
【００１７】
また、静止画像上にコメントを付加して表示する場合においても、マイクから入力された音声を、音声認識機能を用いて編集することにより操作性を向上することができる。
【００１８】
また、複数の撮影画像をグループとして登録する際に、撮影画像と併せて複数の音声データファイルも付加してグループとして保存することができるので、画像を再生する場合にグループを指定することで複数の撮影画像が順次表示されると同時に画像に付加された音声データも自動的に再生されるため、再生操作は更に容易となる。
【発明を実施するための最良の形態】
【００１９】
図１は、本発明が適用されるデジタルカメラ付の携帯電話機を示す正面側及び裏面側の概観図である。
【００２０】
デジタルカメラ付携帯電話機１には、図示しない基地局との無線通信を行うためのアンテナ２、通常の文字や数字の入力を行うテンキー、メニューの選択、決定等を行うメニュー、ファンクションキー、写真撮影を行うためのレリーズボタンを有する操作部３、画像や電話番号等のデータ、各種メニュー、操作説明等の情報を表示するＬＣＤ等で構成される表示部４、固体撮像素子（ＣＣＤ）を有し、作動時に入力される光学系の画像信号を画像データとしてデジタル信号に変換するカメラ部５、音声信号を電気信号に変換するためのマイク６、着信時の着信音、メロディー等を出力するスピーカ７、受話信号を出力するレシーバ８が配置されている。
【００２１】
図２は、本発明をデジタルカメラ付携帯電話無線機に適用した実施形態を示す機能ブロック図である。
【００２２】
図２において、ＣＰＵ（中央演算処理装置）１０は、記憶部９に格納されている各種制御プログラムに従って、各機能ブロックの制御と各種演算処理を行う。無線部１１は、アンテナ２を介し受信された基地局からの信号をローカル発振周波数により周波数変換した後、復調してＣＰＵ１０に出力すると共に、ＣＰＵ１０より出力された信号を変調した後に無線周波数に変換してアンテナ２を介して基地局に送信する。
【００２３】
カメラ制御部１２は、操作部３の操作によりカメラ部５を制御して被写体を撮影する制御を行うと共に、画像記憶部１３を制御してカメラ部５で生成された画像データを画像記憶部１３に記憶する制御を行う。画像記憶部１３は、ＲＡＭ等の記憶素子で構成され、カメラ部５で撮影され生成された画像データをＪＰＥＧやＭＰＥＧに代表される手法で圧縮したり、ＣＰＵ１０の指示により圧縮したデータを伸張展開制御する処理を行う等のデータ処理、記憶を行う。
【００２４】
表示制御部１４は、ＣＰＵ１０の表示命令により画像記憶部１３に保存された画像や、記憶部９に保存された電話番号等のデータ、各種メニュー、操作説明等の情報を表示部４に表示させる制御を行う。Ａ／Ｄ・Ｄ／Ａコンバータ１５は、マイク６で集音しマイクアンプ１６で増幅された送話音声信号あるいは音声データとして入力されたアナログ信号をデジタル信号に変換する機能、着信時のメロディー等をデジタル信号からアナログ信号に変換する機能、および受信した受話音声信号をデジタル信号からアナログ信号に変換する機能を有している。
【００２５】
ＤＳＰ１８は、ＣＰＵ１０の制御の基に、Ａ／Ｄコンバータ１５でデジタル信号化された音声データを画像データと関連付けて音声データ記憶部１９に記憶させる機能、画像データと関連付けて記憶されている音声データを音声データ記憶部１９から読み出してＤ／Ａコンバータ１５へ出力する機能、および入力されたデジタル音声データの音声認識処理を行い、認識結果をＣＰＵ１０へ送出する機能を有している。音声データ記憶部１９は、マイク６で集音され、Ａ／Ｄコンバータ１５でデジタル信号化され、ＤＳＰ１８で対応する画像データのタイトルと同一のタイトルが付けられた音声データを記憶・保存する。
【００２６】
スピーカアンプ１７は、Ｄ／Ａコンバータ１５でアナログ信号化された着信音、着信メロディー、音声データを増幅してスピーカ７へ出力する。レシーバアンプ２０は、Ｄ／Ａコンバータ１５でアナログ信号化された受話音声を増幅してレシーバ８へ出力する。その他、一般の携帯電話機の構成要素である電源部、バッテリー、着信を表示するＬＥＤ等も備えているが、図では省略している。
【００２７】
図３〜図８は、本実施形態におけるデジタルカメラを用いて撮影された画像データの処理動作を示すフローチャートである。以下、図１〜図８を参照して本実施形態の動作について説明する。
【００２８】
図３は、本実施形態のカメラ付携帯電話機を用いて音声情報を付加しない一般的な写真撮影を行うモードが選択された場合の動作を示すフローチャートである。
【００２９】
まず、操作部３のカメラ起動キーを押下し音声情報を付加しない写真撮影モードを選択する（ステップ１０）。本選択により一般的な写真撮影モードが起動され（ステップ１１）、カメラ部５に内蔵されたＣＣＤにより被写体が撮影され、表示部４に動画又は間欠画として被写体が表示される（ステップ１２）。そして、操作部３のレリーズボタンを押下しレリーズ操作すると（ステップ１３）、カメラ制御部１２の命令によりカメラ部５で画像が取り込まれ、表示部４に静止画像として表示される（ステップ１４，１５）。
【００３０】
使用者が、表示された画像を保存する事を選択すると（ステップ１６）、撮影画像にタイトルを付け（ステップ１７）、画像記憶部１３においてカメラ部５で撮影され生成された画像データをＪＰＥＧやＭＰＥＧに代表される手法で圧縮して保存する（ステップ１８、１９）。この一般的な撮影モードで撮影した写真のタイトルは、撮影した順番を示す番号が自動でタイトルとして保存される設定、撮影した日付と時間がタイトルとなる設定、あるいは使用者が操作部３を操作しタイトルを編集して保存する方法等、適宜の方法でのタイトル付与が可能である。その後、使用者が次の撮影を行う事を選択した場合（ステップ２０）には、ステップ１２のＣＣＤの画像表示から撮影モードに戻る。撮影が終了した場合は、撮影モードが終了となる（ステップ２１）。
【００３１】
図４は、本実施形態のカメラ付携帯電話機を用いて、使用者が撮影された画像データに音声データの付与、及び音声認識を用いたタイトル編集を行うモードを選択した場合の動作を示すフローチャートである。
【００３２】
操作部３のカメラ起動キーを押下し、音声データの付与、及び音声認識を用いたタイトル編集を行うモードを選択する（ステップ１０）と、本選択による写真撮影モードが起動され（ステップ１１）、カメラ部５に内蔵されたＣＣＤにより被写体が撮影され、表示部４に動画又は間欠画として被写体が表示される（ステップ１２）。そして、操作部３のレリーズボタンを押下しレリーズ操作すると（ステップ１３）、カメラ制御部１２の命令によりカメラ部５で画像が取り込まれ、表示部４に静止画像として表示される（ステップ１４，１５）。
【００３３】
使用者が、表示された画像を保存する事を選択すると（ステップ１６）、画像記憶部１３においてカメラ部５で撮影され生成された画像データをＪＰＥＧやＭＰＥＧに代表される手法で圧縮し（ステップ３０）、撮影した順番を示す番号や撮影した日付と時間などの任意のタイトルを設定付与し（ステップ３１）、撮影画像データを保存する（ステップ３２）。
【００３４】
次に、表示制御部１４の制御により音声録音を行うか否かを表示部４に表示する（ステップ３３）。ここで音声録音をしないと選択した場合は、ステップ３８へ移行する。ステップ３３において使用者が操作部３を押下し音声録音を選択した場合、録音機能が起動され、マイク６で集音した音声をマイクアンプ１６で増幅しＡ／Ｄ・Ｄ／Ａコンバータ１５においてアナログ信号からデジタル信号に変換し、ＤＳＰ１８を介しステップ３１で付けられた画像データのタイトルと同一のタイトルを付けて（ステップ３６）、音声データ記憶部１９にデジタル音声データとして保存した（ステップ３７）後、ステップ３８へ移行する。
【００３５】
ステップ３８では、使用者に対し表示制御部１４の制御によりタイトル編集を行うか否かを表示部４に表示する（ステップ３８）。ここでタイトル編集をしないことを選択した場合ステップ４５へ移行する。ステップ３８においてタイトル編集を行うこと選択した場合、使用者に対し音声認識を行うかを表示部４に表示し確認を行う（ステップ３９）。音声認識を行うことを選択しステップ３３で音声録音を行っている場合は、音声データ記憶部１９に保存されている音声データを読み出しＤＳＰ１８にて音声認識処理し（ステップ４０）、認識結果を表示部４に表示させる（ステップ４１）。
【００３６】
ここで、音声認識を行うことを選択し、ステップ３３で音声録音を行っていない場合は、録音機能が起動され、マイク６にて音声を集音しマイクアンプ１６で増幅しＡ／Ｄ・Ｄ／Ａコンバータ１５においてアナログ信号からデジタル信号に変換したデータを用いてＤＳＰ１８にて音声認識を行い（ステップ４０）認識結果を表示部４に表示させる（ステップ４１）。
【００３７】
使用者は表示部４に表示された認識結果の中から所望の表現を選定して編集を行い（ステップ４２）、編集が完了すると、ステップ３１及びステップ３６にて任意につけられた画像タイトルと音声データのタイトルが、ステップ４２で編集されたタイトルに更新されて保存される（ステップ４３、４４）。ステップ４５にて使用者が次の撮影を行う事を選択した場合にはステップ１２のＣＣＤの画像表示から撮影モードに戻る。撮影が終了した場合は、撮影モードが終了となる（ステップ４６）。
【００３８】
図５は、本実施形態のカメラ付携帯電話機を用いて撮影され、画像記憶部１３に保存されている複数の画像データをグループとして登録する動作を示すフローチャートである。複数の画像データをグループとして登録することにより、画像データ読み出し時に、グループ名を指定すれば、複数の画像データが順次読み出されて再生可能になる。
【００３９】
図５において、使用者が操作部３のメニューキーを押下し（ステップ５０）、画像編集モードを起動させ（ステップ５１）、グループ設定を選択し（ステップ５２）、画像記憶部１３内に保存されている撮影画像の中からグループに指定するファイルを選択する（ステップ５３）。ファイル選択が終了したらグループ名を入力して登録すると（ステップ５４）、グループ名、選択された各画像のタイトル、および選択順が画像記憶部１３内に保存され（ステップ５５）、画像編集モードが終了となる（ステップ５６）。
【００４０】
図６は、本実施形態のカメラ付携帯電話機を用いて撮影された画像データを読み出して再生する場合の動作を示すフローチャートである。
【００４１】
図６において、使用者が操作部３のメニューキーを押下し（ステップ６０）、再生モードを起動させ（ステップ６１）、画像記憶部１３内に保存されている撮影画像の中から再生したいファイルを選択すると（ステップ６２）、ＣＰＵ１０の制御により選択された画像ファイルと関連する音声ファイルの検索が行われ（ステップ６３）、関連する音声ファイル（同一タイトルの音声データ）が存在する場合には、選択された画像ファイルは画像記憶部１３から読み出されるとともに、音声データ記憶部１９に同一のファイル名で保存された音声データがＤＳＰ１８を介して音声データ記憶部１９から読み出される。
【００４２】
選択された画像ファイルと関連する音声ファイルがある場合には、画像記憶部１３から読み出された画像データが表示制御部１４の制御により表示部４に表示される（ステップ６４）とともに、音声データ記憶部１９から読み出された同一のファイル名の音声データがＡ／Ｄ・Ｄ／Ａコンバータ１５でデジタル信号からアナログ信号に変換されスピーカアンプ１７で増幅されスピーカ７より鳴動される（ステップ６５）。選択された画像ファイルと関連する音声ファイルがない場合には、画像記憶部１３から読み出された画像データのみ表示制御部１４の制御により表示部４に表示される（ステップ６６）。
【００４３】
ステップ６７にて使用者が他の撮影画像を再生する事を選択した場合にはステップ６２のファイル選択に戻り、他の画像を再生しない場合は再生モードが終了となる（ステップ６８）。
【００４４】
図７は、図５においてグループとして登録された複数の画像データを再生する場合の動作を示すフローチャートである。
【００４５】
図７において、使用者が操作部３のメニューキーを押下し（ステップ７０）、再生モードを起動させ（ステップ７１）、画像記憶部１３内に保存されている撮影画像の中から再生したい撮影画像のグループ名を選択すると（ステップ７２）、ＣＰＵ１０の制御により選択された撮影画像グループ内の撮影画像から、登録時に設定された順番に従ってまず１番目の画像ファイルが画像記憶部１３から読み出され、該読み出された画像ファイルと関連する音声ファイルの検索が行われる（ステップ７３−１）。関連する音声ファイルが存在する場合には、選択された画像ファイルは画像記憶部１３から読み出されるとともに、音声データ記憶部１９に同一のファイル名で保存された音声データがＤＳＰ１８を介して音声データ記憶部１９から読み出される。
【００４６】
選択された１番目の画像ファイルと関連する音声ファイルがある場合には、画像記憶部１３から読み出された画像データが表示制御部１４の制御により表示部４に表示される（ステップ７４−１）とともに、音声データ記憶部１９から読み出された同一のファイル名の音声データがＡ／Ｄ・Ｄ／Ａコンバータ１５でデジタル信号からアナログ信号に変換されスピーカアンプ１７で増幅されスピーカ７より鳴動される（ステップ７５−１）。選択された画像ファイルと関連する音声ファイルがない場合には、画像記憶部１３から読み出された画像データのみ表示制御部１４の制御により表示部４に表示される（ステップ７６−１）。
【００４７】
音声データがない場合には一定時間後に、音声データがある場合には音声データの鳴動が完了した後に、グループ登録時に２番目に選択された画像ファイルが画像記憶部１３から読み出され、該読み出された画像ファイルと関連する音声ファイルの検索が行われる（ステップ７３−２）。関連する音声ファイルが存在する場合には、選択された画像ファイルは画像記憶部１３から読み出されるとともに、音声データ記憶部１９に同一のファイル名で保存された音声データがＤＳＰ１８を介して音声データ記憶部１９から読み出される。
【００４８】
選択された２番目の画像ファイルと関連する音声ファイルがある場合には、画像記憶部１３から読み出された画像データが表示制御部１４の制御により表示部４に表示される（ステップ７４−２）とともに、音声データ記憶部１９から読み出された同一のファイル名の音声データがＡ／Ｄ・Ｄ／Ａコンバータ１５でデジタル信号からアナログ信号に変換されスピーカアンプ１７で増幅されスピーカ７より鳴動される（ステップ７５−２）。選択された画像ファイルと関連する音声ファイルがない場合には、画像記憶部１３から読み出された画像データのみ表示制御部１４の制御により表示部４に表示される（ステップ７６−２）。
【００４９】
以下、順番に画像ファイルを選択して同様の画像再生動作を繰り返し、グループ内に登録された画像ファイルの再生が全て終了すると（ステップ７７）、再生モードの終了となる（ステップ７８）。
【００５０】
図８は、本実施形態のカメラ付携帯電話機を用いて撮影され、画像記憶部１３に保存されている画像データを添付したメールを送付する場合の動作を示すフローチャートである。
【００５１】
図８において、使用者が操作部３のメニューキーを操作し（ステップ８０）、メール作成モードを起動させ（ステップ８１）、操作部３のキーを操作して文書の作成を行った後（ステップ８２）、画像記憶部１３内に保存されている撮影画像の中からメールに添付したい画像ファイルを選択すると（ステップ８３）、ＣＰＵ１０の制御により選択された画像ファイルと関連する音声ファイルの検索が行われる（ステップ８４）。
【００５２】
選択された画像ファイルと関連する音声ファイルが存在する場合には、選択された画像ファイルが画像記憶部１３から読み出されてメールに添付される（ステップ８５）とともに、音声データ記憶部１９に同一のタイトル名で保存されている音声データが音声データ記憶部１９より読み出されてメールに音声データとして添付される（ステップ８６）。選択された画像ファイルと関連する音声ファイルがない場合には、画像記憶部１３から読み出された画像データのみがメールに添付される（ステップ８７）。
【００５３】
なお、メールに添付する画像ファイルが選択されたとき、メール添付に先立ってこの画像ファイルを表示部４に表示し、関連する音声ファイルがある場合には該音声データをスピーカ７より鳴動させて確認できるようにしてもよい。使用者が画像ファイル及び音声ファイル付のメールの作成終了後にメール送信操作を行うと、ＣＰＵ１０の制御により無線部１１が動作し、選択された画像データとそれと同一ファイル名の音声データが添付されたメールが送信され（ステップ８８）、メール作成モードが終了となる（ステップ８９）。
【００５４】
図９は、本発明の他の実施形態を示すフローチャートであり、静止画像撮影後に静止画像上にコメントを付加し保存する場合の動作を示している。以下、本実施形態の動作について説明する。
【００５５】
カメラ５を起動して静止画撮影を行い、撮影画像の保存を行うか否かを選択するステップ１からステップ１６までと、撮影画像を圧縮保存するまでのステップ３０からステップ３２の動作は図４のフローチャートと同様であるので説明を一部省略する。
【００５６】
静止画像上にコメントを付加するモードが選択された場合、ステップ１４で静止画撮影を行い、ステップ３２で撮影画像データの保存を行った後に、表示部４にコメントの編集を行うかを確認する画面が表示され（ステップ９０）、コメントの編集をすることが選択されると、表示部４に音声認識を行うかを確認する画面が表示され（ステップ９１）、音声認識を行うことが選択されるとコメント編集機能が起動し、マイク６にて音声を集音してマイクアンプ１６で増幅し、Ａ／Ｄ・Ｄ／Ａコンバータ１５においてアナログ信号からデジタル信号に変換したデータをＤＳＰ１８にて音声認識を行い（ステップ９２）、表示部４に認識結果を表示する（ステップ９３）。
【００５７】
使用者は、表示された認識結果を確認して修正や編集を行い（ステップ９４）、画像データの所定位置に編集したコメントを付加し（ステップ９５）、該コメントが付加された撮影画像データを画像記憶部１３に保存する（ステップ９６）。ステップ９７にて使用者が次の撮影を行う事を選択した場合にはステップ１２のＣＣＤの画像表示から撮影モードに戻る。撮影が終了した場合は、撮影モードが終了となる（ステップ９８）。
【００５８】
使用者が、画像データ記憶部１３に保存されている画像データを選択して再生を指示すると、再生指示を受けた画像データにコメントが付加されている場合には、再生画像データが表示される表示部４の所定位置に、該コメントがスーパーインポーズされた状態で表示される。
【図面の簡単な説明】
【００５９】
【図１】本発明が適用されるデジタルカメラ付の携帯電話機を示す正面側及び裏面側の概観図である。
【図２】本発明をデジタルカメラ付携帯電話無線機に適用した実施形態を示す機能ブロック図である。
【図３】本実施形態のカメラ付携帯電話機を用いて一般的な写真撮影を行うモードが選択された場合の動作を示すフローチャートである。
【図４】本実施形態のカメラ付携帯電話機を用いて画像データに音声データの付与、及び音声認識を用いたタイトル編集を行うモードを選択した場合の動作を示すフローチャートである。
【図５】本実施形態のカメラ付携帯電話機を用いて複数の画像データをグループとして登録する動作を示すフローチャートである。
【図６】本実施形態のカメラ付携帯電話機を用いて画像データを再生する場合の動作を示すフローチャートである。
【図７】グループとして登録された複数の画像データを再生する場合の動作を示すフローチャートである。
【図８】本実施形態のカメラ付携帯電話機を用いてメールを送付する場合の動作を示すフローチャートである。
【図９】本発明の他の実施形態を示すフローチャートである
【符号の説明】
【００６０】
１  デジタルカメラ付携帯電話機
２  アンテナ
３  操作部
４  表示部
５  カメラ部
６  マイク
７  スピーカ
８  レシーバ
９  記憶部
１０  ＣＰＵ
１１  無線部
１２  カメラ制御部
１３  画像記憶部
１４  表示制御部
１５  Ａ／Ｄ・Ｄ／Ａコンバータ
１６  マイクアンプ
１７  スピーカアンプ
１８  ＤＳＰ（digital signal processor）
１９  音声データ記憶部
２０  レシーバアンプ
【図１】
2005354506.tif 000003
【図２】
2005354506.tif 000004
【図３】
2005354506.tif 000005
【図４】
2005354506.tif 000006
【図５】
2005354506.tif 000007
【図６】
2005354506.tif 000008
【図７】
2005354506.tif 000009
【図８】
2005354506.tif 000010
【図９】
2005354506.tif 000011